(57)【要約】【課題】本発明は除湿装置に関するものであり、品位を損なうことなく安価で安全性の高い外観を樹脂で構成した空気調和装置を提供することを目的とするものである。【解決手段】本体ケース１の開口に設けたコード保持部品３と、コード保持部品３の挿通孔４を通して外部に引き出され且つ一端にプラグを有する電源コード５とを備え、電源コード５は、コード保持部品の挿通孔に保持されるブッシング６を有し、コード保持部品３は、筒形状の筒部分７と、筒部分７における一方側端部に設けられ、本体ケース１の開口に固定される固定部８と、筒部分７における他方側端部を塞ぐように設けられ、挿通孔４を有する板形状の保持板部分９とを有し、保持板部分９は、本体ケース１内に配置され、コード保持部品３の難燃性は、本体ケース１の難燃性より高い樹脂材料で形成されていることを特徴とする空気調和装置。【選択図】図２
2019158225.tif 000002
【特許請求の範囲】
【請求項１】
空気調和部を内部に設けた本体ケースと、
前記本体ケースの開口に設けたコード保持部品と、
前記コード保持部品の挿通孔を通して外部に引き出され且つ一端にプラグを有する電源コードとを備え、
前記電源コードは、
前記コード保持部品の前記挿通孔に保持されるブッシングを有し、
前記コード保持部品は、
筒形状の筒部分と、
前記筒部分における一方側端部に設けられ、前記本体ケースの前記開口に固定される固定部と、
前記筒部分における他方側端部を塞ぐように設けられ、前記挿通孔を有する板形状の保持板部分とを有し、
前記保持板部分は、前記本体ケース内に配置され、前記コード保持部品は樹脂部品で形成され、前記コード保持部品の難燃性は、前記本体ケースの難燃性より高いことを特徴とする空気調和装置。
【請求項２】
前記筒部分と前記ブッシングとの距離は、前記筒部分における前記保持板部分側より前記固定部側の方が大きいことを特徴とする請求項１に記載の空気調和装置。
【請求項３】
前記筒部分の内寸法は、前記保持板部分側から前記固定部側の方へ向かうにつれて大きくなることを特徴とする請求項２に記載の空気調和装置。
【請求項４】
前記ブッシングの外寸法は、前記保持板部分側から前記固定部側の方へ向かうにつれて小さくなることを特徴とする請求項２または３に記載の空気調和装置。
【請求項５】
前記ブッシングは、前記筒部分内に設けられたことを特徴とする請求項１から４のいずれかに記載の空気調和装置。
【請求項６】
前記固定部は、前記筒部分における一方側端部から前記筒部分の中心軸方向に対して直角方向に外方へ延びた環形状の第１の環部分と、前記筒部分の外周から外方に突出した環形状の第２の環部分とを有し、前記第１の環部分と前記第２の環部分とは所定の隙間を有し、前記隙間に前記本体ケースの前記開口の開口縁が嵌ることを特徴とする請求項１から５のいずれかに記載の空気調和装置。
【請求項７】
前記電源コードの中心から前記第１の環部分の端部までの距離は、１５ｍｍから２５ｍｍであることを特徴とする請求項６に記載の空気調和装置。
【請求項８】
前記電源コードの中心軸方向に対する垂直面の形状は、縦長になるように固定されていることを特徴とする請求項１から７のいずれかに記載の空気調和装置。
【請求項９】
前記筒部分は、前記電源コード上方の前記筒部分に、平面である平面部を有していることを特徴とする請求項１から５のいずれかに記載の空気調和装置。
【請求項１０】
前記本体ケースは、箱形状であり、第１の本体ケースと第２の本体ケースとに分割可能な構成であり、前記本体ケースの前記開口は、前記第１の本体ケースに設けられた第１の開口と、前記第２の本体ケースに設けられた第２の開口とからなることを特徴とする請求項１から９のいずれかに記載の空気調和装置。
【請求項１１】
前記コード保持部品は、第１の保持部品と第２の保持部品とに分割可能な構成であり、
前記コード保持部品の前記挿通孔は、前記第１の保持部品に設けられた第１の挿通孔と、前記第２の保持部品に設けられた第２の挿通孔とからなり、
前記コード保持部品の前記固定部は、前記第１の保持部品に設けられた第１の固定部と、前記第２の保持部品に設けられた第２の固定部とからなることを特徴とする請求項１から１０のいずれかに記載の空気調和装置。
【発明の詳細な説明】
【技術分野】
【０００１】
本発明は、居住空間などに用いられる空気調和装置に関するものである。
【背景技術】
【０００２】
従来、空気調和装置は本体ケースの開口部を通して外部に引き出され且つ一端にプラグを有する電源コードを備え、この電源コードは、開口部に備えた保持部に保持されるブッシングを有したものとなっている（なお、これに関連する先行文献としては下記特許文献１がある）。
【先行技術文献】
【特許文献】
【０００３】
【特許文献１】特開２００９−３４６２８号公報
【発明の概要】
【発明が解決しようとする課題】
【０００４】
上記従来例における課題は、樹脂で外観を構成する本体ケースの開口部に備えた保持部は難燃グレードの低い一般的な樹脂で構成されているのが知られている。
【０００５】
このような従来の空気調和装置においては、電源コードのブッシングの周辺が難燃グレードの低い一般的な樹脂の構成となっていたので、使用者の不注意によりブッシング内部の銅線が断線しスパークした場合等に、この保持部周辺に着火し本体ケースに類焼する可能性があるという課題を有していた。
【課題を解決するための手段】
【０００６】
そして、この目的を達成するために、本発明は、本体ケースの開口に設けたコード保持部品と、前記コード保持部品の挿通孔を通して外部に引き出され且つ一端にプラグを有する電源コードとを備え、前記電源コードは、外挿され前記コード保持部品の前記挿通孔に保持されるブッシングを有し、前記コード保持部品は、筒形状の筒部分と、前記筒部分における一方側端部に設けられ、前記本体ケースの前記開口に固定される固定部と、前記筒部分における他方側端部を塞ぐように設けられ、前記挿通孔を有する板形状の保持板部分とを有し、前記保持板部分は、前記本体ケース内に配置され、前記コード保持部品の難燃性は、前記本体ケースの難燃性より高い樹脂材料で形成されている。これにより所期の目的を達成するものである。
【発明の効果】
【０００７】
本発明によれば、使用者の不注意により内部の銅線が断線する可能性があるブッシングの周辺をコード保持部品として別部品とし、難燃性を有する樹脂材料とすることで、ブッシング部分で断線スパークした場合等に、本体ケースへの類焼と拡大被害を抑制することができる。
【図面の簡単な説明】
【０００８】
【図１】本発明の実施形態の空気調和装置の外観斜視図
【図２】同空気調和装置の開口部の断面図
【図３】同空気調和装置のコード保持部品と電源コードの概観斜視図
【図４】同空気調和装置の部品展開図
【図５】同空気調和装置のコード保持部品と電源コードの展開図
【発明を実施するための形態】
【０００９】
以下、本発明の実施例について図面を参照しながら説明する。
【００１０】
（実施の形態）
図１は、本発明の実施形態の空気調和装置の外観斜視図である。図２は、本発明の実施形態の空気調和装置の開口部の断面図である。図３は、本発明の実施形態の空気調和装置のコード保持部品と電源コードの概観斜視図である。
【００１１】
図１、図２、図３において、本体ケース１は、前後方向の寸法が左後方向に比べて小さい箱形状である。本体ケース１内には、空気調和ユニット（図示せず）を備えている。本体ケース１は、本体ケース１における左後方向の一方側下部に、略四角形状の孔である開口部２を設けている。開口部２を介して、空気調和ユニットと電気的に接続された電源コード５が、本体ケース１外へ延びている。電源コード５は、根元側には、電源コード５に外挿され、電源コード５を覆うブッシング６を有し、先端には、コンセントに接続できるプラグ（図示せず）を備えている。ブッシング６は、略筒形状であり、ブッシング６の孔に電源コード５が嵌っている。開口部２には、電源コード５のブッシング６を保持するコード保持部品３が固定されている。コード保持部品３は、電源コード５のブッシング６と、本体ケース１の開口部２との間に配置されている。
【００１２】
コード保持部品３は、筒部分７と、固定部８と、保持板部分９とを備えている。
【００１３】
筒部分７は、中心軸が水平方向に延びた略四角形の筒形状であり、中心軸方向における一方側（図２では左側）から他方側（図２では右側）に向かうにつれて開口面積が徐々に大きくなる。筒部分７は、中心軸方向における一方側（図２では左側）には、保持板部分９を有し、中心軸方向における他方側（図２では右側）には、固定部８を有している。
【００１４】
固定部８は、筒部分７の外面から外方に延びた環状のリブである第１の環部分１０と第２の環部分１１である。第１の環部分１０は、筒部分７の中心軸方向における他方側（図２では右側）端部に配置され、第２の環部分１１は、第１の環部分１０より筒部分７の中心軸方向における一方側（図２では左側）に配置されている。第１の環部分１０と第２の環部分１１との間には、隙間１２を有している。この隙間１２に本体ケース１の開口部２の開口縁１３が嵌り、コード保持部品３が、本体ケース１に固定される。
【００１５】
保持板部分９は、中央部に略四角形状の孔である挿通孔４を有した略平板である。保持板部分９は、筒部分７の中心軸方向における一方側の開口を塞ぐように設けられている。円筒形状のブッシング６の外面には、円周方向に延びた溝６ａを備えている。この円環形状の溝６ａに挿通孔４の開口縁が嵌り、内部に電源コード５を有したブッシング６がコード保持部品３に固定されている。
【００１６】
なお、筒部分７と固定部８と保持板部分９とは、樹脂材料によって一体に成形された部品である。コード保持部品３の固定部８は、本体ケース１の開口部２の開口縁１３に固定され、コード保持部品３の筒部分７は、固定部８から本体ケース１の内方に延びており、コード保持部品３の保持板部分９は、本体ケース１の内に配置されている。また、本体ケース１も樹脂材料によって成形された部品である。
【００１７】
保持板部分９は、本体ケース１内に配置され、コード保持部品３の難燃性は、本体ケース１の難燃性より高い樹脂材料で形成されている。
【００１８】
これにより、使用者の不注意により、電源コード５内部の銅線が断線する可能性があるブッシング６の周辺をコード保持部品３を別部品とし、難燃性を有する樹脂材料とすることで、ブッシング６部分で断線スパークした場合等に、本体ケース１への類焼と拡大被害を抑制することができる。また、一般的に長期的に紫外線などによる変色しやすい難燃性を有する樹脂が外観の一部分に限定されるので、変色しても機器全体の品位を損なうことが低減される。また、高価な難燃性を有する樹脂の使用量を減らすことと、難燃性を有する樹脂の耐光剤の量を低減できるので、安価に安全性を向上することができる。
【００１９】
また、筒部分７とブッシング６との距離は、筒部分７における保持板部分９側より固定部８側の方が大きく構成されている。
【００２０】
これにより、電源コード５の屈曲性を損なうことなく、奥の保持板部分９側にて発火したとしても空間が小さいため窒息消火しやすくなり安全性を向上することができる。
【００２１】
また、筒部分７の内寸法は、保持板部分９側から固定部８側の方へ向かうにつれて大きくなる形状としていることにより、電源コード５の屈曲性を損なうことなく、奥の保持板部分９側にて発火したとしても空間がないため窒息消火しやすくなり安全性を向上することができる。
【００２２】
また、ブッシング６の外寸法は、保持板部分９側から固定部８側の方へ向かうにつれて小さくなる形状としていることにより、ブッシング６の端部の電源コード５に屈曲による応力が集中し、ブッシング６外で断線し、機器以外に延焼することを抑制し、安全性を向上することができる。
【００２３】
また、ブッシング６は、筒部分７内に設けた構成としていることにより、機器が壁際に設置されても電源コード５に過度な力が加わる危険性が低減されるとともに、ブッシング６内での発火に対して、コード保持部品３が本体ケース１への類焼と拡大被害を抑制することができる。
【００２４】
また、第１の環部分１０と第２の環部分１１との間の隙間１２には、本体ケース１の開口部２の開口縁１３が嵌っているので、固定部８の第１の環部分１０は、本体ケース１の外面と接触し、第２の環部分１１は、本体ケース１の内面と接触する。第１の環部分１０は、筒部分７の中心軸方向における他方側端部から外方に延びた環状のリブである。
【００２５】
これにより、コード保持部品３内で発火した場合に、第１の環部分１０は、発火した炎が回り込んで本体ケース１に到達することを抑制し、拡大被害を抑制することができる。また、隙間１２の断熱効果によりよって、第１の環部分１０が温度上昇しても本体ケース１の温度上昇を遅らすことができるため、拡大被害を抑制することができる。
【００２６】
また、電源コード５の中心から第１の環部分１０の端部までの距離は、１５ｍｍから２５ｍｍ確保している。これにより、発火した炎が回り込んで本体ケース１に到達することを抑制し、拡大被害を抑制することができるとともに、必要以上に外観に大きく出ないため、一般的に長期的に紫外線などによる変色しやすい難燃性を有する樹脂が外観の一部分に限定されるので、変色しても機器全体の品位を損なうことが低減される。また、高価な難燃性を有する樹脂の使用量を減らすことと、難燃性を有する樹脂の耐光剤の量を低減できるので、安価に安全性を向上することができる。
【００２７】
また、電源コード５の中心軸方向に対する垂直面の形状は、縦長になるように固定されている。これにより、下側の銅線が断線した場合は、上側の銅線やコード被服が、上に上がろうとする炎をブロックする作用があるので、本体ケース１に到達することを抑制し、拡大被害を抑制することができる。
【００２８】
また、筒部分７の中心軸方向に対する垂直面の形状は、四角筒形状である。このことにより、発火した炎が上面の平面である平面部で広がるため、炎が集まって長くなるのを抑制することができ、本体ケース１に到達することを抑制し、拡大被害を抑制することができる。なお、平面部は、保持板部分９側から固定部８側の方へ向かうにつれて上方へ傾斜し、筒部分７の中心軸方向に対する垂直面における平面部は、水平である。
【００２９】
図４は、本発明の実施形態の空気調和装置の部品展開図である。図５は、本発明の実施形態の空気調和装置のコード保持部品と電源コードの展開図である。
【００３０】
図４、図５において、本体ケース１は、後本体ケース１Ａと前本体ケース１Ｂとを有している。
【００３１】
後本体ケース１Ａは、本体ケース１を本体ケース１における前面側と後面側の間で２つに分けた後面側である。前本体ケース１Ｂは、本体ケース１を本体ケース１における前面側と後面側の間で２つに分けた前面側である。
【００３２】
開口部２は、後本体ケース１Ａの本体ケース１における左後方向の一方側下部に設けた略縦長四角形状の切り欠きである後開口部２Ａと、前本体ケース１Ｂの本体ケース１における左後方向の一方側下部に設けた略縦長四角形状の切り欠きである前開口部２Ｂとからなる。
【００３３】
このように、本体ケース１は、箱形状であり、開口部２は後本体ケース１Ａと前本体ケース１Ｂそれぞれに分割され、後開口部２Ａと前開口部２Ｂに分割可能な構成としている。これにより、コード保持部品３を構成しやすくなり、高価な難燃性を有する樹脂の使用量を減らすことと、難燃性を有する樹脂の耐光剤の量を低減できるので、安価に安全性を向上することができる。また、後開口部２Ａと前開口部２Ｂの開口縁にコード保持部品３の固定部８の隙間１２を嵌め易くなる。
【００３４】
また、コード保持部品３は、後コード保持部品３Ａと前コード保持部品３Ｂとを有している。後コード保持部品３Ａと前コード保持部品３Ｂとは、コード保持部品３を筒部分７の中心軸を含む垂直面によって、２つに分けた部品である。
【００３５】
後コード保持部品３Ａは、後筒部分７Ａと、後固定部８Ａと、後保持板部分（図示せず）と、後挿通孔（図示せず）とを有している。後コード保持部品３Ａの後固定部８Ａは、後本体ケース１Ａの切り欠きである後開口部２Ａに嵌る。
【００３６】
同様に、前コード保持部品３Ｂは、前筒部分７Ｂと、前固定部８Ｂと、前保持板部分９Ｂと、前挿通孔４Ｂとを有している。前コード保持部品３Ｂの前固定部８Ｂは、前本体ケース１Ｂの切り欠きである前開口部２Ｂに嵌る。
【００３７】
これにより、コード保持部品３を構成しやすくなり、高価な難燃性を有する樹脂の使用量を減らすことと、難燃性を有する樹脂の耐光剤の量を低減できるので、安価に安全性を向上することができる。また、後挿通孔（図示せず）と前挿通孔４Ｂの開口縁に、ブッシング６の溝６ａを嵌め易くなる。なお、本発明では前記本体ケース１やコード保持部品３を前後に分割したが、上下や左右に分割する構成としても同様の効果を得られる。
【産業上の利用可能性】
【００３８】
本発明にかかる空位調和装置は、使用者の不注意により内部の銅線が断線する可能性があるブッシング部分で断線スパークした場合等に、本体ケースへの類焼と拡大被害を抑制することを可能とするものであるので、空質改善に使用される空気調和装置等として有用である。
【符号の説明】
【００３９】
１    本体ケース
１Ａ    後本体ケース
１Ｂ    前本体ケース
２    開口部
２Ａ    後開口部
２Ｂ    前開口部
３    コード保持部品
３Ａ    後コード保持部品
３Ｂ    前コード保持部品
４    挿通孔
４Ｂ    前挿通孔
５    電源コード
６    ブッシング
６ａ    溝
７    筒部分
７Ａ    後筒部分
７Ｂ    前筒部分
８    固定部
８Ａ    後固定部
８Ｂ    前固定部
９    保持板部分
９Ｂ    前保持板部分
１０    第１の環部分
１１    第２の環部分
１２    隙間
１３    開口縁
【図１】
2019158225.tif 000003
【図２】
2019158225.tif 000004
【図３】
2019158225.tif 000005
【図４】
2019158225.tif 000006
【図５】
2019158225.tif 000007